(57)【要約】【課題】排水栓に水圧がかかっていても排水口から排水栓を容易に開栓できるようにする。【解決手段】開栓具１の上端に握り部３を備えるとともに下端に支点４を備える棒２と、棒２に交差して接続される枝部５と、枝部５の端部に配設されるフック６とを備え、棒２の支点４を水槽１０の底面１１に接触させ棒２を傾けてフック６を排水栓１４の上端のリング１５に引っ掛けたのち棒２を水槽１０の底面１１に直立するよう握り部３を移動させることにより、握り部３が力点となり、フック６が作用点となる梃子を利用して排水栓１４を引っ張るように構成したため、浴槽１０内に水や湯が溜められ排水栓１４に水圧がかかっていても容易に排水栓１４を排水口１２から引き抜いて開栓することができる。【選択図】図１
2018011827.tif 000002
【特許請求の範囲】
【請求項１】
槽の排水栓を開栓する排水栓の開栓具であって、
上端に握り部を備えるとともに下端に支点を備える棒と、
該棒に交差して接続される枝部と、
該枝部の端部に配設されるフックと、を備え、
該棒の支点を該槽の底面に接触させ該棒を傾けて該フックを該排水栓の上端のリングに引っ掛けたのち該棒を該槽の該底面に直立するよう該握り部を移動させることにより、該握り部が力点となり、該フックが作用点となる梃子を利用して該排水栓を引っ張ることを特徴とする排水栓の開栓具。
【発明の詳細な説明】
【技術分野】
【０００１】
本発明は、浴槽などの槽の排水栓を開栓する開栓具に関する。
【背景技術】
【０００２】
浴槽などの槽の排水口に対して、例えば排水栓を開栓したり閉栓したりする場合、作業者は浴槽の外側の位置において腰を折り曲げつつ、排水栓を手で摘まんで排水口から引き上げたり差し込んだりしている。浴槽の形状や深さは様々であり、浴槽の深さが例えば６０ｃｍ〜６５ｃｍ程度あるタイプのものにおいては、浴槽の外側から腰を折り曲げても、排水栓に手が届かないことがある。
【０００３】
通常、排水栓の上端にはリングを介してチェーンが取り付けられており、チェーンを引っ張ることにより排水栓を排水口から引き抜くことができるが、チェーンを引っ張る力が強いとチェーンがリングから外れることがあり不都合である。また、チェーンの劣化によってもリングから外れたりすることもある。
【０００４】
このような問題の対策として、排水栓の上端に取り付けられたリングを容易に引っ張るための開栓具が用いられる（例えば、下記の特許文献１を参照）。この開栓具は、棒の先端に排水栓の上端のリングを脱着自在に引っ掛けるためのフックを備えており、排水栓の上端のリングにフックを引っ掛けて、作業者が棒を引き上げることにより、排水栓を排水口から引き抜くことが可能となっている。
【先行技術文献】
【特許文献】
【０００５】
【特許文献１】特開２００２−１７５９１号公報
【発明の概要】
【発明が解決しようとする課題】
【０００６】
しかし、浴槽内に水や湯が溜められた状態だと、上記したような開栓具を用いても、作業者が棒を引き上げる力が排水栓を引っ張る力となるため、排水栓に水圧がかかって排水口から抜けにくい。特に、深い浴槽に水などが溜められている場合は、排水栓により強い水圧がかかり、開栓具で排水栓を引き上げることがより困難となっている。
【０００７】
本発明は、上記の事情に鑑みてなされたもので、排水栓に水圧がかかっていても排水口から排水栓を容易に開栓できるようにすることを目的する。
【課題を解決するための手段】
【０００８】
本発明は、槽の排水栓を開栓する排水栓の開栓具であって、上端に握り部を備えるとともに下端に支点を備える棒と、該棒に交差して接続される枝部と、該枝部の端部に配設されるフックと、を備え、該棒の支点を該槽の底面に接触させ該棒を傾けて該フックを該排水栓の上端のリングに引っ掛けたのち該棒を該槽の該底面に直立するよう該握り部を移動させることにより、該握り部が力点となり、該フックが作用点となる梃子を利用して該排水栓を引っ張ることを特徴とする。
【発明の効果】
【０００９】
本発明にかかる開栓具は、上端に握り部を備えるとともに下端に支点を備える棒と、棒と交差して接続される枝部と、枝部の端部に配設されるフックとを備え、棒の支点を槽の底面に接触させ棒を傾けて、フックを排水栓の上端のリングに引っ掛けてから、棒を槽の底面に直立するよう握り部を移動させるだけで、握り部が力点となりフックが作用点となる梃子を利用して排水栓を引っ張る構成としたため、槽内に水や湯が溜められ排水栓に水圧がかかっていても容易に排水口から排水栓を引き抜いて開栓することができる。
【図面の簡単な説明】
【００１０】
【図１】開栓具の構成を示す断面図である。
【図２】開栓具によって排水栓を開栓する状態を示す断面図である。
【図３】開栓具の変形例の構成を示す斜視図である。
【発明を実施するための形態】
【００１１】
図１に示す開栓具１は、例えば、浴槽１０などの槽の排水栓１４を開栓する梃子式の開栓具の一例である。浴槽１０の底面１１には、浴槽１０の内部に溜められた水や湯を排水するための排水口１２が形成されている。排水口１２の下側には排水管１３が接続され、排水口１２の上側は排水栓１４によって開栓及び閉栓される構成となっている。なお、浴槽１０のタイプは、特に限定されない。
【００１２】
排水栓１４は、その上端に開口を有するリング１５が取り付けられている。排水栓１４の材質は、特に限られず、例えばシリコンゴムによって形成されている。浴槽１０の内部に所定量の水や湯を溜める場合は、排水栓１４を排水口１２に差し込んで排水口１２を閉栓すればよい。一方、浴槽１０の内部に溜められた水や湯を排水する場合は、排水栓１４を排水口１２から引き抜いて排水口１２を開栓すればよい。
【００１３】
開栓具１は、上端に握り部３を備えるとともに下端に支点４を備える棒２と、棒２の延在方向に対して交差する方向に延在して棒２に接続される枝部５と、枝部５の端部に配設されるフック６とを備えている。棒２の材質は特に限られず、例えば、木材、金属、樹脂等で構成してもよい。棒２の長さについても特に限定されず、少なくとも浴槽１０の深さ以上の長さであればよい。
【００１４】
握り部３は、例えば、ゴム製のグリップによって構成され、作業者が少なくとも片手で握ることが可能となっており、人力が加えられる力点となっている。支点４は、図示の例では、球状に形成されているが、この形状に限定されない。フック６は、枝部５から垂下しており、リング１５に引っ掛けるために、端部側が湾曲して形成されている。
【００１５】
枝部５は、棒２において支点４側に近い位置に接続され、作用点となるフック６が力点となる握り部３よりも支点４側に近い位置に配置されているため、握り部３に加えられる人力が小さくても、フック６で作用される力がより大きくなる。棒２が直立した状態では、フック６の下端が、支点４の下端よりも高い位置に位置している。枝部５の長さは特に限定されない。なお、握り部３以外は、浴槽１０内に溜められた水や湯に浸かるため、棒２，支点４，枝部５及びフック６の材質は、錆びにくい部材により構成することが好ましい。
【００１６】
次に、開栓具１を用いて、浴槽１０の排水口１２から排水栓１４を開栓する開栓動作について説明する。まず、作業者は、開栓具１を浴槽１０の内部に入れて、図２に示すように、浴槽１０の底面１１に支点４を接触させるとともに壁１０ａに支点４を接触させる。壁１０ａ側に支点４を位置づけることにより、枝部５から垂下するフック６を排水栓１４の上方側に位置づけられる。続いて、作業者が握り部３を例えば矢印ａ１方向に引くことにより、支点４を中心として棒２を傾けて、フック６を排水栓１４の上端に取り付けられたリング１５に引っ掛ける。
【００１７】
次いで、作業者が握り部３を握った状態のまま、握り部３を例えば矢印ａ２方向に押し上げることにより、支点４を中心として棒２を浴槽１０の底面１１に対して直立するように移動させる。これにより、握り部３が力点となりフック６が作用点となる梃子の原理を利用して、フック６により排水栓１４を排水口１２から上方側に引っ張り、排水口１２から排水栓１４が完全に引き抜かれると、排水口１２が開栓され浴槽１０内の湯水が排水口１２から排水される。
【００１８】
このように、本発明の開栓具１は、上端に握り部３を備えるとともに下端に支点４を備える棒２と、棒２と交差して接続される枝部５と、枝部５の端部に配設されるフック６とを備え、棒２の支点４を浴槽１０の底面１１に接触させ棒２を傾けて、フック６を排水栓１４の上端のリング１５に引っ掛けてから、棒２を浴槽１０の底面１１に直立するように握り部３を移動させるだけで、握り部３が力点となりフック６が作用点となる梃子を利用して排水栓１４を引っ張ることができるため、浴槽１０内に水や湯が溜められ排水栓１４に水圧がかかっていても容易に排水栓１４を排水口１２から引き抜いて開栓可能となる。
【００１９】
図３に示す開栓具１Ａは、開栓具の変形例である。開栓具１Ａでは、力点となる握り部３と支点となる横棒７とを棒２の両端に備え、握り部３と横棒７との間に作用点となるフック６を備えている。横棒７は、円柱状に形成されており、棒２の延在方向に対して交差する方向（例えば矢印ｂ１及びｂ２方向）に延在している。これにより、横棒７を支点として握り部３を浴槽１０の底面１１に対して接近及び離反する方向に移動させるときに、棒２の矢印ｂ１及びｂ２方向の動きを規制することができる。
【００２０】
また、開栓具１Ａは、枝部５を補強する補強部８を備えている。補強部８は、一端が棒２に連結され他端が枝部５の上端に連結されており、フック６で排水栓１４を引っ張る際に枝部５にかかる負荷を軽減することができる。
【００２１】
次に、開栓具１Ａを用いて、湯水が溜められた浴槽１０の排水口１２から排水栓１４を開栓する開栓動作について説明する。まず、作業者は、開栓具１Ａを浴槽１０の内部に入れて、図３に示すように、浴槽１０の底面１１に横棒７を接触させるとともに浴槽１０の壁１０ａにも横棒７を接触させる。壁１０ａ側に横棒７を位置づけることにより、枝部５から垂下するフック６を排水栓１４の上方側に位置づけられる。続いて作業者が握り部３を例えば矢印ａ１方向に引くことにより、支点となる横棒７を中心として棒２を傾けて、フック６を排水栓１４の上端に取り付けられたリング１５に引っ掛ける。
【００２２】
次いで、作業者が握り部３を握った状態のまま、握り部３を例えば矢印ａ２方向に押し上げることにより、支点となる横棒７を中心として棒２を浴槽１０の底面１１に対して直立するように移動させる。このとき、横棒７が底面１１において矢印ｂ１及びｂ２方向に延在しているため、矢印ｂ１及びｂ２方向における棒２の動きが規制され、棒２が揺れる
ことを防止することができる。そして、握り部３が力点となりフック６が作用点となる梃子の原理を利用して、フック６により排水栓１４を排水口１２から上方側に引っ張り、排水口１２から排水栓１４が完全に引き抜かれると、排水口１２が開栓され浴槽１０内の湯水が排水口１２から排水される。
【００２３】
本実施形態に示した開栓具１，１Ａが使用される槽は、上記の浴槽１０に限定されず、例えば、大型の浴槽，大型浴場施設の浴槽、プール，水槽等に広く適用することができる。また、開栓具１，１Ａでは、排水栓１４を排水口１２から引き抜くのに大きな人力を要しないため、特に槽の深さが深いタイプ（例えば６０ｃｍ〜６５ｃｍ）のものに有用である。
【符号の説明】
【００２４】
１，１Ａ：開栓具  ２：棒  ３：握り部  ４：支点  ５：枝部  ６：フック  ７：横棒
８：補強部  １０：浴槽  １０ａ：壁  １１：底面  １２：排水口  １３：排水管
１４：排水栓  １５：リング
【図１】
2018011827.tif 000003
【図２】
2018011827.tif 000004
【図３】
2018011827.tif 000005